(57)【要約】【課題】下りのデータと上りのデータとを同一の端子あるいはコネクタから入／出力するようにし、しかも互いの信号の干渉をしないようにする。【解決手段】テレビジョン信号及び下りデータが入力される第一のコネクタ１０ａと、第一のコネクタ１０ａに接続されたダイプレクサ１４と、ダイプレクサ１４の高域側端子に結合された第一の分配器１６と、第一の分配器１６の一方の出力端に結合された第二のコネクタ１０ｂと、上りデータが入力されると共に、ダイプレクサの低域側端子に結合された第三のコネクタ１０ｃと備え、第三のコネクタ１０ｃと第一の分配器１６の他方の出力端との間にハイパスフィルタ１８を介挿して、下りデータと上りデータとの間の干渉を防ぐ。【選択図】        図１
2004343239.tif 000002
【特許請求の範囲】
【請求項１】
テレビジョン信号及び下りデータが入力される第一のコネクタと、前記第一のコネクタに接続されたダイプレクサと、前記ダイプレクサの高域側端子に結合された第一の分配器と、前記第一の分配器の一方の出力端に結合された第二のコネクタと、上りデータが入力されると共に、前記ダイプレクサの低域側端子に結合された第三のコネクタと備え、前記第三のコネクタと前記第一の分配器の他方の出力端との間にハイパスフィルタを介挿したことを特徴とする２方向通信機器。
【請求項２】
前記第二のコネクタにテレビジョンチューナを接続し、前記第三のコネクタにモデム用チューナを接続したことを特徴とする請求項１に記載の２方向通信機器。
【請求項３】
前記第一の分配器の一方の出力端を第二の分配器を介して前記第二のコネクタに接続し、前記第二の分配器の他方の出力端に接続された第四のコネクタを設けたことを特徴とする請求項１又は２に記載の２方向通信機器。
【発明の詳細な説明】
【０００１】
【発明の属する技術分野】
この発明は、テレビジョン信号とデータ信号とを供給するケーブルシステムに使用される２方向性通信機器に関する。
【０００２】
【従来の技術】
従来の２方向性通信機器を図２に示して説明する。２方向性信号はＲＦコネクタ７８から受信される。２方向性信号はヘッドエンド（図示せず）から送られてくるモデム信号とビデオ信号とを含み、戻りデータチャンネルを介して戻りデータを伝搬できる。
【０００３】
ダイプレクサ７６はＲＦコネクタ７８に結合され、モデム信号及びビデオ信号をスプリッタ６６に通すと共に、戻りデータチャンネル増幅器４４から戻りデータチャンネル信号を受け取り、ヘッドエンドに送り返す。スプリッタ６６はダイプレクサ７６の出力に結合される。スプリッタ６６は第一の出力ポート６４を備え、出力ポート６４にＤＯＣＳＩＳチューナ６０が結合される（ＤＯＣＳＩＳは登録商標であり、ケーブルモデム用のインターフェース要件を規定するもの）。ＤＯＣＳＩＳチューナ６０はＤＯＣＳＩＳ信号を受信しそれに同調する。スプリッタ６６は第二の出力７２を含み、出力７２に、アナログ／デジタルビデオチューナ６８が結合される。アナログ／デジタルビデオチューナ６８はアナログ／デジタルビデオ信号を受信しそれに同調する。
【０００４】
以上の構成によれば、ダイプレクサ７６はスプリッタ６６の前にあるので、戻りデータチャンネル信号はスプリッタ６６によって減衰されない、従って、戻りデータチャンネル増幅器４４の出力は低くてもよい。そのうえ、スプリッタ６６はビデオ信号と戻り信号の帯域幅（５〜８６０ＭＨｚ）で動作する必要はなく、ビデオ信号の帯域幅（５４〜８６０ＭＨｚ）のみで動作すればよい（例えば特許文献１参照。）。
【０００５】
【特許文献１】
特開２００１−３５９０６８号公報（図１）
【０００６】
【発明が解決しようとする課題】
上記構成では、下りのデータを受信するモデム用チューナはダイプレクサに接続され、上りのデータを送信する戻りデータチャンネル増幅器はスプリッタに接続されるので煩雑であった。
【０００７】
本発明は、下りのデータと上りのデータとを同一の端子あるいはコネクタから入／出力するようにし、しかも互いの信号の干渉をしないようにする。
【０００８】
【課題を解決するための手段】
本発明は、テレビジョン信号及び下りデータが入力される第一のコネクタと、前記第一のコネクタに接続されたダイプレクサと、前記ダイプレクサの高域側端子に結合された第一の分配器と、前記第一の分配器の一方の出力端に結合された第二のコネクタと、上りデータが入力されると共に、前記ダイプレクサの低域側端子に結合された第三のコネクタと備え、前記第三のコネクタと前記第一の分配器の他方の出力端との間にハイパスフィルタを介挿した。
【０００９】
また、前記第二のコネクタにテレビジョンチューナを接続し、前記第三のコネクタにモデム用チューナを接続した。
【００１０】
また、前記第一の分配器の一方の出力端を第二の分配器を介して前記第二のコネクタに接続し、前記第二の分配器の他方の出力端に接続された第四のコネクタを設けた。
【００１１】
【発明の実施の形態】
図１にこの発明の２方向通信機器の構成を示す。点線で囲んだＲＦフロントエンド１０はケーブル１１で送られてくるテレビジョン信号とデータとをそれぞれテレビジョンチューナ１２とデータ用チューナ１３とに分配すると共に、データ用チューナ１３からの上りデータをケーブル１１に送出する。
【００１２】
第一のコネクタ１０ａにはダイプレクサ１４が接続される。ダイプレクサ１４はハイパスフィルタ１４ａとローパスフィルタ１４ｂとを有し、ハイパスフィルタ１４ａのカットオフ周波数はおよそ９０ＭＨｚ、ローパスフィルタ１４ｂのカットオフ周波数はおよそ５５ＭＨｚである。ハイパスフィルタ１４ａはローノイズアンプ１５を介して第一の分配器１６に結合される。第一の分配器１６の一方の出力端は第二の分配器１７を介して第二のコネクタ１０ｂに結合される。第二のコネクタ１０ｂには通常のテレビジョンチューナ１２が接続される。テレビジョンチューナ１２は９０ＭＨｚ以上のテレビジョン信号を受信する。
【００１３】
一方、ローパスフィルタ１４ｂは第三のコネクタ１０ｃに結合される。そして、第一の分配器１６の他方の出力端と第三のコネクタ１０ｃとの間にはハイパスフィルタ１８が介挿される。ハイパスフィルタ１８のカットオフ周波数もおよそ９０ＭＨｚである。第三のコネクタ１０ｃにはデータ用チューナ１３が接続される。データ用チューナ１３は９０ＭＨｚ以上のデータを受信すると共に、５５ＭＨｚ以下のデータを送信する。また、第二の分配器１７は第四のコネクタ１０ｄに結合される。第四のコネクタ１０ｄには他のテレビジョンチューナを接続できる。
【００１４】
以上の構成において、第一のコネクタ１０ａに入力されたテレビジョン信号はハイパスフィルタ、１４ａ、第一の分配器１６、第二の分配器１７を介してテレビジョンチューナ１２に入力される。第二の分配器１７によって分配されたテレビジョン信号は第四のコネクタ１０ｄに出力される。また、下りデータは、ハイパスフィルタ１４ａ、第一の分配器１６、ハイパスフィルタ１８を介してデータ用チューナ１３に入力される。データ用チューナ１３内にはモデムが構成されており、ケーブルを介して送られれてくるデータをモデム変換してパソコン等の情報処理装置に転送する。また、データ用チューナ１３が出力される上りデータはハイパスフィルタ１８の存在に第一の分配器１６側へ進入することなく、ローパスフィルタ１４ｂを介して第一のコネクタ１０ａに出力される。
【００１５】
【発明の効果】
以上説明したように、本発明の２方向通信機器は、テレビジョン信号及び下りデータが入力される第一のコネクタと、第一のコネクタに接続されたダイプレクサと、ダイプレクサの高域側端子に結合された第一の分配器と、第一の分配器の一方の出力端に結合された第二のコネクタと、上りデータが入力されると共に、ダイプレクサの低域側端子に結合された第三のコネクタと備え、第三のコネクタと第一の分配器の他方の出力端との間にハイパスフィルタを介挿したので、下りデータと上りデータとの間の干渉を防ぐ２方向通信機器を簡単に構成できる。
【００１６】
また、第二のコネクタにテレビジョンチューナを接続し、第三のコネクタにモデム用チューナを接続したので、下りデータ及び上りデータを処理すると共にテレビジョン信号が受信できる２方向通信機器が構成できる。
【００１７】
また、第一の分配器の一方の出力端を第二の分配器を介して第二のコネクタに接続し、第二の分配器の他方の出力端に接続された第四のコネクタを設けたので、第四のコネクタに接続される他のテレビジョンチューナへのテレビジョン信号のＮＦ悪化を防げる。
【図面の簡単な説明】
【図１】本発明の２方向通信機器のブロック構成図である。
【図２】従来の２方向通信機器のブロック構成図である。
【符号の説明】
１０  ＲＦフロントエンド
１０ａ  第一のコネクタ
１０ｂ  第二のコネクタ
１０ｃ  第三のコネクタ
１０ｄ  第四のコネクタ
１１  ケーブル
１２  テレビジョンチューナ
１３  データ用チューナ
１４  ダイプレクサ
１４ａ  ハイパスフィルタ
１４ｂ  ローパスフィルタ
１５  ローノイズアンプ
１６  第一の分配器
１７  第二の分配器
１８  ハイパスフィルタ
【図１】
2004343239.tif 000003
【図２】
2004343239.tif 000004